(57)【要約】【課題】本発明は子供浴室用おもちゃを開示した。【解決手段】おもちゃボディーを含み、キーをキー口の中に挿入した後、キーを押し回転させ、キーがぜんまいを連動させてエネルギー蓄積を行い、エネルギーを蓄積した後にキーを緩め、ぜんまいがラチェットを回転連動させ、ラチェットが回転しながら歯車軸を回転連動させて駆動を行い、生物の運動形式をいきいきと真似でき、子供がおもちゃに対する好奇心を引き起こし、おもちゃが水の中に遊ばれる環境に適応できる上に、水なしの環境にも適応でき、おもちゃは浴室で水浴びをする補助機能が備わり、子供がシャワーを浴びる時におもちゃは揉み洗う工具となる。【選択図】図１
2020146418.tif 000002
【特許請求の範囲】
【請求項１】
おもちゃボディーを含み、前記おもちゃボディーの中には駆動部品が設置され、前記駆動部品はぜんまい空間を含み、前記ぜんまい空間の中には動力を提供するぜんまいが設置され、前記ぜんまい空間の上側にはキー溝が設置され、前記キー溝の中にはキー口とキーとが設置され、前記キー口とキーとがぜんまいを連動させ、前記ぜんまいにエネルギー蓄積を行わせることができ、前記駆動部品の下側には歩き部品が設置され、前記歩き部品は歩き駆動空間を含み、前記歩き駆動空間の中には揺動ロッドが設置され、前記おもちゃボディーの右側端面には揺動節が設置され、前記揺動節と前記揺動ロッドとがヒンジ接続によって係合装着され、前記歩き部品はまた歩き輪を含み、前記おもちゃボディーの外側端面には補助部品が設置され、前記補助部品は水浴びを補助できる揉み洗い布と、マサージを補助できるマサージ輪と遊びに用いられる送気空間と送気口を含むことを特徴とする子供浴室用おもちゃ。
【請求項２】
前記駆動部品は前記キーの左右両側の端面に設置されるバックルを含み、前記キーが前記キー口の中に設置され、且つ前記キー口に引っかかれ、前記キー口が前記キー溝の中に設置され、前記キー溝と前記ぜんまい空間とが前記おもちゃボディーの中に設置され、前記ぜんまい空間と前記キー溝との間にはキー軸がスライドできるように係合装着され、前記キー軸の上側端面と前記キー口とが固定的に接続され、前記キー軸の下側端面には固定盤が固定的に接続され、前記キー軸には一節のスプラインが設置され、前記ぜんまい空間の頂壁と前記固定盤の頂部端面との間には引き動かしバネが固定的に装着され、前記歩き駆動空間が前記ぜんまい空間の下側に設置され、羽根車軸と前記ぜんまい空間との間には歯車軸が回転できるように係合装着され、前記歯車軸の頂部端面にはラチェットがスプラインによって係合装着され、前記ぜんまいが前記固定盤と前記ラチェットとの間に固定的に装着され、前記ぜんまい空間の右側端面にはラチェット歯がヒンジ接続によって係合装着され、前記ラチェット歯が前記ラチェットと嵌め込まれ、前記ラチェットの底部端面にはスライド盤が固定的に装着され、前記スライド盤と前記ラチェット歯とがスライドできるように係合装着され、前記キーを前記キー口の中に挿入した後、キーを押し回転させ、前記キーが前記ぜんまいを連動させてエネルギー蓄積を行い、エネルギーを蓄積した後に前記キーを緩め、前記ぜんまいが前記ラチェットを回転連動させ、前記ラチェットが回転しながら前記歯車軸を回転連動させて駆動を行うことを特徴とする請求項１に記載の子供浴室用おもちゃ。
【請求項３】
前記歩き部品はまた前記おもちゃボディーの前後端面の間に回転できるように係合装着される羽根車軸を含み、前記羽根車軸には歯車Ａが固定的に装着され、前記歯車軸の底部端面には歯車Ｂが固定的に装着され、前記歯車Ｂと前記歯車Ａとが噛み合い、前記歩き輪が前記羽根車軸の前後端面に前後に対称的に固定的に装着され、前記歩き輪には羽根が固定的に装着され、前記羽根車軸にはカムが固定的に装着され、前記カムにはカム溝が設置され、前記揺動ロッドと前記歩き駆動空間の底壁との間が回転できるように係合され、前記揺動ロッドの左側末端と前記カム溝とがスライドできるように係合され、前記揺動節が前記揺動ロッドにヒンジ接続によって係合装着され、前記揺動ロッドの末端には尾がヒンジ接続によって係合装着され、前記おもちゃボディーと前記尾との間には前記揺動節を覆う密封膜が密封的に装着され、前記歯車軸が回転しながら前記歩き輪と前記羽根とを回転連動させ、それにより水をかいて移動することができ、前記歯車軸が回転しながら前記揺動節と前記尾とを連動させ揺れ動かせ、それによりおもちゃを水の中で移動させることができることを特徴とする請求項１に記載の子供浴室用おもちゃ。
【請求項４】
前記補助部品はまた前記おもちゃボディーの底部端面に設置される開口溝を含み、前記マサージ輪が前記開口溝の前後内壁の間に回転できるように係合装着され、前記揉み洗い布が前記おもちゃボディーの底部端面に固定的に装着され、前記送気空間が前記おもちゃボディーの口の中に設置され、前記送気口が前記おもちゃボディーの外側端面に設置され、且つ前記送気空間と連通され、前記揉み洗い布が入浴を補助でき、前記マサージ輪がマサージを行い、おもちゃの口部を捏ねることにより気流が前記送気口を通す時に音が生じることを特徴とする請求項１に記載の子供浴室用おもちゃ。
【発明の詳細な説明】
【技術分野】
【０００１】
本発明は子供用品分野に関わり、具体的には子供浴室用おもちゃである。
【背景技術】
【０００２】
子供はお風呂に入る時に自覚性がなく、お湯の中に遊んで騒ぐことが好きで、いままで子供がお風呂に入る時に遊ぶおもちゃの機能が単一で、一般には子供に遊ばれる機能だけを持ち、子供の入浴に良い促進作用がなく、おもちゃは水のある環境だけに適応し、使用される範囲は比較的に小さく、したがって、適応する範囲が広くて、子供がお風呂に入ることを補助できるおもちゃが必要となる。
【先行技術文献】
【特許文献】
【０００３】
【特許文献１】中国特許出願公開第１０４１８８５８５号明細書
【発明の概要】
【発明が解決しようとする課題】
【０００４】
本発明は子供浴室用おもちゃを提供し、既存の技術にある上記の欠点を解消することを目的とする。
【課題を解決するための手段】
【０００５】
本発明の実施例による子供浴室用おもちゃは、おもちゃボディーを含み、前記おもちゃボディーの中には駆動部品が設置され、前記駆動部品はぜんまい空間を含み、前記ぜんまい空間の中には動力を提供するぜんまいが設置され、前記ぜんまい空間の上側にはキー溝が設置され、前記キー溝の中にはキー口とキーとが設置され、前記キー口とキーとがぜんまいを連動させ、前記ぜんまいにエネルギー蓄積を行わせることができ、前記駆動部品の下側には歩き部品が設置され、前記歩き部品は歩き駆動空間を含み、前記歩き駆動空間の中には揺動ロッドが設置され、前記おもちゃボディーの右側端面には揺動節が設置され、前記揺動節と前記揺動ロッドとがヒンジ接続によって係合装着され、前記歩き部品はまた歩き輪を含み、前記おもちゃボディーの外側端面には補助部品が設置され、前記補助部品は水浴びを補助できる揉み洗い布と、マサージを補助できるマサージ輪と遊びに用いられる送気空間と送気口を含む。
【０００６】
さらなる技術方案には、前記駆動部品は前記キーの左右両側の端面に設置されるバックルを含み、前記キーが前記キー口の中に設置され、且つ前記キー口に引っかかれ、前記キー口が前記キー溝の中に設置され、前記キー溝と前記ぜんまい空間とが前記おもちゃボディーの中に設置され、前記ぜんまい空間と前記キー溝との間にはキー軸がスライドできるように係合装着され、前記キー軸の上側端面と前記キー口とが固定的に接続され、前記キー軸の下側端面には固定盤が固定的に接続され、前記キー軸には一節のスプラインが設置され、前記ぜんまい空間の頂壁と前記固定盤の頂部端面との間には引き動かしバネが固定的に装着され、前記歩き駆動空間が前記ぜんまい空間の下側に設置され、羽根車軸と前記ぜんまい空間との間には歯車軸が回転できるように係合装着され、前記歯車軸の頂部端面にはラチェットがスプラインによって係合装着され、前記ぜんまいが前記固定盤と前記ラチェットとの間に固定的に装着され、前記ぜんまい空間の右側端面にはラチェット歯がヒンジ接続によって係合装着され、前記ラチェット歯が前記ラチェットと嵌め込まれ、前記ラチェットの底部端面にはスライド盤が固定的に装着され、前記スライド盤と前記ラチェット歯とがスライドできるように係合装着される。
【０００７】
さらなる技術方案には、前記歩き部品はまた前記おもちゃボディーの前後端面の間に回転できるように係合装着される羽根車軸を含み、前記羽根車軸には歯車Ａが固定的に装着され、前記歯車軸の底部端面には歯車Ｂが固定的に装着され、前記歯車Ｂと前記歯車Ａとが噛み合い、前記歩き輪が前記羽根車軸の前後端面に前後に対称的に固定的に装着され、前記歩き輪には羽根が固定的に装着され、前記羽根車軸にはカムが固定的に装着され、前記カムにはカム溝が設置され、前記揺動ロッドと前記歩き駆動空間の底壁との間が回転できるように係合され、前記揺動ロッドの左側末端と前記カム溝とがスライドできるように係合され、前記揺動節が前記揺動ロッドにヒンジ接続によって係合装着され、前記揺動ロッドの末端には尾がヒンジ接続によって係合装着され、前記おもちゃボディーと前記尾との間には前記揺動節を覆う密封膜が密封的に装着される。
【０００８】
さらなる技術方案には、前記補助部品はまた前記おもちゃボディーの底部端面に設置される開口溝を含み、前記マサージ輪が前記開口溝の前後内壁の間に回転できるように係合装着され、前記揉み洗い布が前記おもちゃボディーの底部端面に固定的に装着され、前記送気空間が前記おもちゃボディーの口の中に設置され、前記送気口が前記おもちゃボディーの外側端面に設置され、且つ前記送気空間と連通される。
【発明の効果】
【０００９】
本発明の有益な効果は：本発明の伝動が簡単で、生物の運動形式をいきいきと真似でき、子供がおもちゃに対する好奇心を引き起こし、おもちゃが水の中に遊ばれる環境に適応できる上に、水なしの環境にも適応でき、おもちゃは浴室で水浴びをする補助機能が備わり、子供がシャワーを浴びる時におもちゃは揉み洗う工具となり、普及する価値がある。
【図面の簡単な説明】
【００１０】
【図１】図１は本発明の全体構成模式図である；
【図２】図２は図１の中のＡ−Ａ  方向の断面構成模式図である；
【図３】図３は図１の中のＢ−Ｂ方向の断面構成模式図である。
【発明を実施するための形態】
【００１１】
下記に図１−３を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１２】
図１−３を参照し、本発明の実施例による子供浴室用おもちゃは、おもちゃボディー１０を含み、前記おもちゃボディー１０の中には駆動部品８０が設置され、前記駆動部品８０はぜんまい空間１７を含み、前記ぜんまい空間１７の中には動力を提供するぜんまい１９が設置され、前記ぜんまい空間１７の上側にはキー溝１１が設置され、前記キー溝１１の中にはキー口１２とキー１４とが設置され、前記キー口１２とキー１４とがぜんまい１９を連動させ、前記ぜんまい１９にエネルギー蓄積を行わせることができ、前記駆動部品８０の下側には歩き部品８１が設置され、前記歩き部品８１は歩き駆動空間２８を含み、前記歩き駆動空間２８の中には揺動ロッド２９が設置され、前記おもちゃボディー１０の右側端面には揺動節３２が設置され、前記揺動節３２と前記揺動ロッド２９とがヒンジ接続によって係合装着され、前記歩き部品８１はまた歩き輪３８を含み、前記おもちゃボディー１０の外側端面には補助部品８２が設置され、前記補助部品８２は水浴びを補助できる揉み洗い布３５と、マサージを補助できるマサージ輪３４と遊びに用いられる送気空間２１と送気口２２を含む。
【００１３】
有益なまた例示のように、前記駆動部品８０は前記キー１４の左右両側の端面に設置されるバックル１３を含み、前記キー１４が前記キー口１２の中に設置され、且つ前記キー口１２に引っかかれ、前記キー口１２が前記キー溝１１の中に設置され、前記キー溝１１と前記ぜんまい空間１７とが前記おもちゃボディー１０の中に設置され、前記ぜんまい空間１７と前記キー溝１１との間にはキー軸１５がスライドできるように係合装着され、前記キー軸１５の上側端面と前記キー口１２とが固定的に接続され、前記キー軸１５の下側端面には固定盤１８が固定的に接続され、前記キー軸１５には一節のスプラインが設置され、前記ぜんまい空間１７の頂壁と前記固定盤１８の頂部端面との間には引き動かしバネ１６が固定的に装着され、前記歩き駆動空間２８が前記ぜんまい空間１７の下側に設置され、羽根車軸２７と前記ぜんまい空間１７との間には歯車軸２４が回転できるように係合装着され、前記歯車軸２４の頂部端面にはラチェット２０がスプラインによって係合装着され、前記ぜんまい１９が前記固定盤１８と前記ラチェット２０との間に固定的に装着され、前記ぜんまい空間１７の右側端面にはラチェット歯３０がヒンジ接続によって係合装着され、前記ラチェット歯３０が前記ラチェット２０と嵌め込まれ、前記ラチェット２０の底部端面にはスライド盤２３が固定的に装着され、前記スライド盤２３と前記ラチェット歯３０とがスライドできるように係合装着され、それによりキー１４をキー口１２の中に挿入した後、キー１４を押し回転させ、キー１４がキー口１２と固定盤１８とを回転連動させ、ラチェット２０がラチェット歯３０に引っかかり回転を停止し、固定盤１８が回転しぜんまい１９を連動させ、ぜんまい１９にエネルギー蓄積を行わせ、エネルギーを蓄積した後にキー１４を緩め、引き動かしバネ１６が固定盤１８と、ぜんまい１９とラチェット２０とを連動させて上へ運動させ、キー軸１５にあるスプラインがおもちゃボディー１０に引っかかり、ラチェット３０がスライド盤２３に押し動かされてラチェット２０から離脱され、ぜんまい１９がラチェット２０を回転連動させ、ラチェット２０が回転しながら歯車軸２４を回転連動させる。
【００１４】
有益なまた例示のように、前記歩き部品８１はまた前記おもちゃボディー１０の前後端面の間に回転できるように係合装着される羽根車軸２７を含み、前記羽根車軸２７には歯車Ａ２６が固定的に装着され、前記歯車軸２４の底部端面には歯車Ｂ２５が固定的に装着され、前記歯車Ｂ２５と前記歯車Ａ２６とが噛み合い、前記歩き輪３８が前記羽根車軸２７の前後端面に前後に対称的に固定的に装着され、前記歩き輪３８には羽根３９が固定的に装着され、前記羽根車軸２７にはカム３６が固定的に装着され、前記カム３６にはカム溝３７が設置され、前記揺動ロッド２９と前記歩き駆動空間２８の底壁との間が回転できるように係合され、前記揺動ロッド２９の左側末端と前記カム溝３７とがスライドできるように係合され、前記揺動節３２が前記揺動ロッド２９にヒンジ接続によって係合装着され、前記揺動ロッド２９の末端には尾４０がヒンジ接続によって係合装着され、前記おもちゃボディー１０と前記尾４０との間には前記揺動節３２を覆う密封膜３１が密封的に装着され、それにより歯車軸２４が回転しながら歯車Ａ２６を回転連動させ、歯車Ａ２６が回転しながら歩き輪３８と羽根３９とを回転連動させ、歩き輪３８と羽根３９とが回転して水の中に移動でき、前記歯車Ａ２６  が回転しカム３６を回転連動させ、カム３６が回転し揺動ロッド２９を連動させ揺れ動かせ、揺動ロッド２９が揺れ動いて揺動節３２と尾４０とを連動させ揺れ動かせ、それによりおもちゃを水の中で移動させることができる。
【００１５】
有益な又は例示のように、前記補助部品８２はまた前記おもちゃボディー１０の底部端面に設置される開口溝３３を含み、前記マサージ輪３４が前記開口溝３３の前後内壁の間に回転できるように係合装着され、前記揉み洗い布３５が前記おもちゃボディー１０の底部端面に固定的に装着され、前記送気空間２１が前記おもちゃボディー１０の口の中に設置され、前記送気口２２が前記おもちゃボディー１０の外側端面に設置され、且つ前記送気空間２１と連通され、それにより揉み洗い布３５が入浴を補助でき、マサージ輪３４がマサージを行い、おもちゃの口部を捏ねることにより気流が送気口２２を通す時に音が生じる。
【００１６】
使用する時：キー１４をキー口１２の中に挿入した後、キー１４を押さえ、且つ回転させ、キー１４がキー口１２と固定盤１８とを回転連動させ、ラチェット２０がラチェット歯３０に引っかかって回転を停止し、固定盤１８が回転してぜんまい１９を連動させ、ぜんまい１９にエネルギー蓄積を行わせ、エネルギー蓄積を終えた後にキー１４を緩め、引き動かしバネ１６が固定盤１８と、ぜんまい１９とラチェット２０とを連動させ上へ運動させ、キー軸１５にあるスプラインがおもちゃボディー１０に引っかかり、ラチェット歯３０がスライド盤２３にプッシュされ、且つラチェット２０から離脱され、ぜんまい１９がラチェット２０を回転連動させ、ラチェット２０が回転しながら歯車軸２４を回転連動させ、歯車軸２４が回転しながら歯車Ａ２６を回転連動させ、歯車Ａ２６が回転しながら歩き輪３８と羽根３９とを回転連動させ、歩き輪３８と羽根３９とが回転して水の中に移動でき、前記歯車Ａ２６が回転しながらカム３６を回転連動させ、カム３６が回転し揺動ロッド２９を連動させ揺れ動かせ、揺動ロッド２９が揺れ動き揺動節３２と尾４０とを連動させ揺れ動かせ、それによりおもちゃを水の中で移動させ、揉み洗い布３５が入浴を補助でき、マサージ輪３４がマサージを行い、おもちゃの口部を捏ねることにより気流が送気口２２を通す時に音が生じる。
【００１７】
本発明の有益な効果は：本発明の伝動が簡単で、生物の運動形式をいきいきと真似でき、子供がおもちゃに対する好奇心を引き起こし、おもちゃが水の中に遊ばれる環境に適応できる上に、水なしの環境にも適応でき、おもちゃは浴室で水浴びをする補助機能が備わり、子供がシャワーを浴びる時におもちゃは揉み洗う工具となり、普及する価値がある。
【００１８】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付した特許請求の範囲を基準とするべきである。
【図１】
2020146418.tif 000003
【図２】
2020146418.tif 000004
【図３】
2020146418.tif 000005
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
おもちゃボディーを含み、前記おもちゃボディーの中には駆動部品が設置され、前記駆動部品はぜんまい空間を含み、前記ぜんまい空間の中には動力を提供するぜんまいが設置され、前記ぜんまい空間の上側にはキー溝が設置され、前記キー溝の中にはキー口とキーとが設置され、前記キー口とキーとがぜんまいを連動させ、前記ぜんまいにエネルギー蓄積を行わせることができ、前記駆動部品の下側には歩き部品が設置され、前記歩き部品は歩き駆動空間を含み、前記歩き駆動空間の中には揺動ロッドが設置され、前記おもちゃボディーの右側端面には揺動節が設置され、前記揺動節と前記揺動ロッドとがヒンジ接続によって係合装着され、前記歩き部品はまた歩き輪を含み、前記おもちゃボディーの外側端面には補助部品が設置され、前記補助部品は水浴びを補助できる揉み洗い布と、マサージを補助できるマサージ輪と遊びに用いられる送気空間と送気口を含み、
前記駆動部品は前記キーの左右両側の端面に設置されるバックルを含み、前記キーが前記キー口の中に設置され、且つ前記キー口に引っかかれ、前記キー口が前記キー溝の中に設置され、前記キー溝と前記ぜんまい空間とが前記おもちゃボディーの中に設置され、前記ぜんまい空間と前記キー溝との間にはキー軸がスライドできるように係合装着され、前記キー軸の上側端面と前記キー口とが固定的に接続され、前記キー軸の下側端面には固定盤が固定的に接続され、前記キー軸には一節のスプラインが設置され、前記ぜんまい空間の頂壁と前記固定盤の頂部端面との間には引き動かしバネが固定的に装着され、前記歩き駆動空間が前記ぜんまい空間の下側に設置され、羽根車軸と前記ぜんまい空間との間には歯車軸が回転できるように係合装着され、前記歯車軸の頂部端面にはラチェットがスプラインによって係合装着され、前記ぜんまいが前記固定盤と前記ラチェットとの間に固定的に装着され、前記ぜんまい空間の右側端面にはラチェット歯がヒンジ接続によって係合装着され、前記ラチェット歯が前記ラチェットと嵌め込まれ、前記ラチェットの底部端面にはスライド盤が固定的に装着され、前記スライド盤と前記ラチェット歯とがスライドできるように係合装着され、前記キーを前記キー口の中に挿入した後、キーを押し回転させ、前記キーが前記ぜんまいを連動させてエネルギー蓄積を行い、エネルギーを蓄積した後に前記キーを緩め、前記ぜんまいが前記ラチェットを回転連動させ、前記ラチェットが回転しながら前記歯車軸を回転連動させて駆動を行い、
前記歩き部品はまた前記おもちゃボディーの前後端面の間に回転できるように係合装着される羽根車軸を含み、前記羽根車軸には歯車Ａが固定的に装着され、前記歯車軸の底部端面には歯車Ｂが固定的に装着され、前記歯車Ｂと前記歯車Ａとが噛み合い、前記歩き輪が前記羽根車軸の前後端面に前後に対称的に固定的に装着され、前記歩き輪には羽根が固定的に装着され、前記羽根車軸にはカムが固定的に装着され、前記カムにはカム溝が設置され、前記揺動ロッドと前記歩き駆動空間の底壁との間が回転できるように係合され、前記揺動ロッドの左側末端と前記カム溝とがスライドできるように係合され、前記揺動節が前記揺動ロッドにヒンジ接続によって係合装着され、前記揺動ロッドの末端には尾がヒンジ接続によって係合装着され、前記おもちゃボディーと前記尾との間には前記揺動節を覆う密封膜が密封的に装着され、前記歯車軸が回転しながら前記歩き輪と前記羽根とを回転連動させ、それにより水をかいて移動することができ、前記歯車軸が回転しながら前記揺動節と前記尾とを連動させ揺れ動かせ、それによりおもちゃを水の中で移動させることができ、
前記補助部品はまた前記おもちゃボディーの底部端面に設置される開口溝を含み、前記マサージ輪が前記開口溝の前後内壁の間に回転できるように係合装着され、前記揉み洗い布が前記おもちゃボディーの底部端面に固定的に装着され、前記送気空間が前記おもちゃボディーの口の中に設置され、前記送気口が前記おもちゃボディーの外側端面に設置され、且つ前記送気空間と連通され、前記揉み洗い布が入浴を補助でき、前記マサージ輪がマサージを行い、おもちゃの口部を捏ねることにより気流が前記送気口を通す時に音が生じることを特徴とする子供浴室用おもちゃ。